(57)【特許請求の範囲】
【請求項１】
廃棄物を処理するための廃棄物処理設備に廃棄物を供給する廃棄物供給装置であって、
上方から廃棄物が投入されて当該廃棄物を貯留するとともに当該貯留している廃棄物を落下させる排出口が底部に形成されたホッパー本体と、前記ホッパー本体の下方に当該ホッパー本体の排出口と連通する状態で設けられて前記排出口から落下する廃棄物が内側を通過する排出部とを備えたホッパーと、
前記排出部と連通した状態で設けられて、当該排出部から落下した廃棄物を前記廃棄物処理設備に搬送するコンベアベルトを備えたコンベアとを備え、
前記コンベアベルトは、前記排出部の直下に設けられているとともに、廃棄物を水平方向に搬送するよう水平方向に延びており、
前記排出部は、前記排出口の前記コンベアベルト搬送方向上流端の下方となる位置から、前記排出口の前記コンベアベルト搬送方向下流端の下方となる位置よりもコンベアベルト搬送方向の下流側の位置まで延びており、
前記ホッパーは、前記排出部のうち前記排出口の前記コンベアベルト搬送方向下流端の下方となる部分付近に設けられて当該排出部内における廃棄物の前記コンベアベルト搬送方向下流側への移動を制限する制限部材と、前記排出部の前記コンベアベルト搬送方向上流端に設けられて当該上流端において廃棄物を前記制限部材の下端よりも前記コンベアベルトに近い位置で前記コンベアベルトの搬送方向下流側に向けてこのコンベアベルト上に落下させる案内部材とを有し、
前記案内部材は、前記排出部のコンベアベルト搬送方向上流側に位置する上流壁の内側面からコンベアベルト搬送方向下流側に向かって突出する板状部材であって、前記コンベアベルト搬送方向と略直交する方向に延びるとともに当該案内部材に沿って流下した廃棄物がこの廃棄物よりも下流側の廃棄物の下に潜り込むように前記排出部の上流壁の内側面よりも緩やかな角度で前記コンベアベルト搬送方向下流に向かうに従って下方に傾斜しており、当該案内部材の下端は、前記制限部材の下端よりも前記コンベアベルトに近い位置に配置されていることを特徴とする廃棄物供給装置。
【請求項２】
請求項１に記載の廃棄物供給装置において、
前記制限部材は、水平に、かつ、前記コンベアベルト搬送方向と略直交する方向に延びるとともに、その下側部分の方がその上側部分よりも前記コンベアベルト搬送方向下流側に位置する形状を有し、当該制限部材と接触する廃棄物を下方に向かうに従ってコンベアベルト搬送方向下流側に傾斜する方向に案内することを特徴とする廃棄物供給装置。
【請求項３】
請求項２に記載の廃棄物供給装置において、
前記案内部材の水平面に対する傾斜角度は、前記制限部材が廃棄物を案内する方向の水平面に対する傾斜角度以下に設定されていることを特徴とする廃棄物供給装置。
【請求項４】
請求項２または３に記載の廃棄物供給装置において、
前記制限部材は、水平に、かつ、前記コンベアベルトの搬送方向と略直交する方向に延びて上下方向に並ぶ複数の棒状部材を含み、
前記各棒状部材は、各棒状部材間に廃棄物が進入可能なように互いに離間し、下側の棒状部材が上側の棒状部材よりも前記コンベアベルトの搬送方向下流側に位置するように配設されていることを特徴とする廃棄物供給装置。
【発明の詳細な説明】
【技術分野】
【０００１】
本発明は、廃棄物処理設備に廃棄物を供給するための廃棄物供給装置に関する。
【背景技術】
【０００２】
従来、廃棄物を処理するための焼却炉等の廃棄物供給装置に廃棄物を供給するためのものとして、廃棄物が投入されるホッパーと、当該ホッパーから落下した廃棄物を焼却炉等に搬送するコンベアとを備えたものが知られている。
【０００３】
例えば、特許文献１には、ホッパーと、コンベアベルトを含むコンベアとを有し、ホッパーから落下した廃棄物が破砕機で破砕された後、コンベアベルトで下流側の給じん機に搬送される装置が開示されている。この装置では、前記コンベアベルトが破砕機の下方から上方に延びて、上方に向かって廃棄物が搬送される。このように廃棄物がコンベアベルトによって上方に搬送される装置では、コンベアベルト上に過剰な量の廃棄物が落下した場合、その自重によって余分な量の廃棄物が下方に落下するため、搬送される廃棄物の量が適正な量に維持される。しかしながら、このようにコンベアベルトを上方に延びるよう配設した場合には、装置全体が大型化するという問題や廃棄物が落下してコンベアベルト上流側に蓄積された場合には大塊物となり、コンベアの運転に支障をきたすおそれがある。
【０００４】
これに対して、図６に示すように、コンベアベルトＢ２２が水平方向に延びるよう構成された装置がある。このような装置は、例えば、特許文献２に開示されている。図６に示す装置では、ホッパーＢ１０の下方にコンベアベルトＢ２２を含むコンベアＢ２０が配置されており、ホッパーＢ１０の底部に形成された排出口Ｂ１１ｂからコンベアベルトＢ２２上に廃棄物が落下する。そして、コンベアベルトＢ２２は、この排出口Ｂ１１ｂから落下した廃棄物を水平方向に搬送する。
【先行技術文献】
【特許文献】
【０００５】
【特許文献１】特開２００９−２２７４１６号公報
【特許文献２】特開平１０−０６１９２４号公報
【発明の概要】
【発明が解決しようとする課題】
【０００６】
図６に示す従来の装置では、ホッパーＢ１０の排出口Ｂ１１ｂのコンベアベルト搬送方向の下流端付近のコンベアベルト上方の領域Ａ１において、この排出口Ｂ１１ｂの下流端付近から落下してコンベアベルト搬送方向下流側へ進行する廃棄物と、この排出口Ｂ１１ｂの下流端よりも上流側においてコンベアベルトＢ２２上に落下してコンベアベルトＢ２２により下流側へ搬送された廃棄物とが合流する結果、この下流端付近Ａ１において廃棄物が詰まり圧密されて、廃棄物の搬送が困難になるとともにコンベアベルトＢ２２にかかる負荷が大きくなるという問題がある。
【０００７】
本発明は、かかる事情に鑑み、コンベアベルトにより廃棄物を水平方向に搬送させつつ、廃棄物の搬送を適切に行うことができるとともにコンベアベルトにかかる負荷を小さく抑えることができる廃棄物搬送装置の提供を目的とする。
【課題を解決するための手段】
【０００８】
前記課題を解決するために、本発明は、廃棄物を処理するための廃棄物処理設備に廃棄物を供給する廃棄物供給装置であって、上方から廃棄物が投入されて当該廃棄物を貯留するとともに当該貯留している廃棄物を落下させる排出口が底部に形成されたホッパー本体と、前記ホッパー本体の下方に当該ホッパー本体の排出口と連通する状態で設けられて前記排出口から落下する廃棄物が内側を通過する排出部とを備えたホッパーと、前記排出部と連通した状態で設けられて、当該排出部から落下した廃棄物を前記廃棄物処理設備に搬送するコンベアベルトを備えたコンベアとを備え、前記コンベアベルトは、前記排出部の直下に設けられているとともに、廃棄物を水平方向に搬送するよう水平方向に延びており、前記排出部は、前記排出口の前記コンベアベルト搬送方向上流端の下方となる位置から、前記排出口の前記コンベアベルト搬送方向下流端の下方となる位置よりもコンベアベルト搬送方向の下流側の位置まで延びており、前記ホッパーは、前記排出部のうち前記排出口の前記コンベアベルト搬送方向下流端の下方となる部分付近に設けられて当該排出部内における廃棄物の前記コンベアベルト搬送方向下流側への移動を制限する制限部材と、前記排出部の前記コンベアベルト搬送方向上流端に設けられて当該上流端において廃棄物を前記制限部材の下端よりも前記コンベアベルトに近い位置で前記コンベアベルトの搬送方向下流側に向けてこのコンベアベルト上に落下させる案内部材とを有し、前記案内部材は、前記排出部のコンベアベルト搬送方向上流側に位置する上流壁の内側面からコンベアベルト搬送方向下流側に向かって突出する板状部材であって、前記コンベアベルト搬送方向と略直交する方向に延びるとともに当該案内部材に沿って流下した廃棄物がこの廃棄物よりも下流側の廃棄物の下に潜り込むように前記排出部の上流壁の内側面よりも緩やかな角度で前記コンベアベルト搬送方向下流に向かうに従って下方に傾斜しており、当該案内部材の下端は、前記制限部材の下端よりも前記コンベアベルトに近い位置に配置されていることを特徴とする廃棄物供給装置を提供する。
【０００９】
この装置によれば、コンベアベルトが水平方向に延びているので装置の小型化が実現されるとともに、前記制限部材と前記案内部材とが排出口下流端の下方付近における廃棄物の圧密を抑制するので廃棄物の適切な搬送およびコンベアベルトにかかる負荷の低減が実現される。
【００１０】
具体的には、前記制限部材は、ホッパー本体の排出口の下方に位置する排出部のうち排出口のコンベアベルト搬送方向下流端の下方となる部分付近において、廃棄物のコンベアベルト搬送方向下流側への移動を制限して、排出口の下流端付近からコンベアベルト側に落下してコンベアベルト搬送方向下流側に進もうとする廃棄物の量を少なく抑える。そして、前記案内部材は、排出部のコンベアベルト搬送方向上流端において廃棄物を前記制限部材の下端よりもコンベアベルトに近い位置でコンベアベルトの搬送方向下流側に向けて落下させて、排出口から落下する廃棄物のうちコンベアベルト搬送方向上流側の廃棄物を下流側の廃棄物の下方にもぐりこませる。そのため、排出口からコンベアベルトまでの間の領域において廃棄物の流れはコンベアベルト搬送方向下流側を向くように整流されて、コンベアベルト搬送方向上流側から下流側に向かうに従って廃棄物が順次上方から落下して追加されるのが抑制される。従って、排出口の下流端の下方に過度の廃棄物が集中するのが抑制されて、この排出口下流端で廃棄物が詰まり圧密されるのが抑制される。
【００１１】
本発明において、前記制限部材は、水平に、かつ、前記コンベアベルト搬送方向と略直交する方向に延びるとともに、その下側部分の方がその上側部分よりも前記コンベアベルト搬送方向下流側に位置する形状を有し、当該制限部材と接触する廃棄物を下方に向かうに従ってコンベアベルト搬送方向下流側に傾斜する方向に案内するのが好ましい（請求項２）。
【００１２】
この構成によれば、ホッパーの排出口のコンベアベルトの搬送方向下流端においても、前記制限部材が、廃棄物の流れをコンベアベルトの搬送方向下流側へ整流する。そのため、排出口からコンベアベルトまでの間の領域において、廃棄物全体の流れがよりコンベアベルトの搬送方向下流側を向くように整流される。このことは、排出口の下流端の下方付近で廃棄物が詰まるのをより確実に抑制する。
【００１３】
ここで、前記案内部材の水平面に対する傾斜角度は、前記制限部材が廃棄物を案内する方向の水平面に対する傾斜角度以下に設定されているのが好ましい（請求項３）。
【００１４】
この構成によれば、制限部材が、廃棄物の流れをコンベアベルトの搬送方向下流側へ整流しつつ、案内部材が、この制限部材付近から落下する廃棄物よりもよりコンベアベルトの搬送方向下流側に向けて廃棄物をコンベアベルト上に落下させて、上流側の廃棄物を上方から落下した下流側の廃棄物の下方にもぐりこませる。そのため、廃棄物全体の流れがよりコンベアベルトの搬送方向下流側を向くように整流されて、排出口の下流端の下方付近で廃棄物が詰まるのがより確実に抑制される。
【００１５】
また、本発明において、前記制限部材は、水平に、かつ、前記コンベアベルトの搬送方向と略直交する方向に延びて上下方向に並ぶ複数の棒状部材を含み、前記各棒状部材は、各棒状部材間に廃棄物が進入可能なように互いに離間し、下側の棒状部材が上側の棒状部材よりも前記コンベアベルトの搬送方向下流側に位置するように配設されているのが好ましい（請求項４）。
【００１６】
この構成によれば、各棒状部材が、廃棄物全体の流れがよりコンベアベルトの搬送方向下流側を向くように整流しつつ、それら間に廃棄物を入り込ませることで、これら棒状部材付近すなわちホッパー排出口のコンベアベルト搬送方向下流端の下方付近において、過度の量の廃棄物がコンベアベルト上に落下するのを抑制する。このことは、ホッパー排出口の下流端の下方付近における廃棄物の集中を抑制して、排出口の下流端の下方付近で廃棄物が詰まるのを抑制する。
【発明の効果】
【００１７】
以上説明したように、本発明によれば、装置を小型化しつつ廃棄物の適正な搬送およびコンベアベルトにかかる負荷の抑制を実現することができる。
【図面の簡単な説明】
【００１８】
【図１】本発明の実施形態に係る廃棄物供給装置の概略断面図である。
【図２】図１のＩＩ−ＩＩ線断面図である。
【図３】図１に示す廃棄物供給装置における廃棄物の流れを示す概略断面図である。
【図４】図３の一部を拡大して示す概略断面図である。
【図５】本発明の廃棄物供給装置の参考例を示す概略断面図である。
【図６】従来の廃棄物供給装置を示す概略断面図である。
【図７】図１に示す廃棄物供給装置の概略斜視図である。
【発明を実施するための形態】
【００１９】
本発明の好ましい実施形態について図面を参照しながら説明する。
【００２０】
図１は本発明の実施形態に係る廃棄物供給装置１を示した概略断面図である。
【００２１】
この廃棄物供給装置１は、焼却炉等の廃棄物を処理する廃棄物処理設備（不図示）に連結されており、廃棄物処理設備に廃棄物を搬送する。この廃棄物供給装置１は、ホッパー１０と、コンベア２０とを備える。
【００２２】
ホッパー１０は、上方から投入された廃棄物を貯留するとともにこの貯留している廃棄物を下方に落下させる。コンベア２０は、ホッパー１０から落下した廃棄物を廃棄物処理設備側に搬送する。
【００２３】
コンベア２０は、コンベアケース２１と、コンベアケース２１内に収納されたコンベアベルト２２とを備える。コンベアベルト２２は、水平方向に延びており、その上面に載置された廃棄物を水平方向に搬送する。コンベアケース２１の上面のうちコンベアベルト２２の上方に位置する部分には、開口部２１ａが形成されている。コンベア２０は、ホッパー１０の直下に配置されている。コンベア２０の開口部２１ａは、ホッパー１０と連通しており、ホッパー１０内の廃棄物はこの開口部２１ａを通ってコンベアベルト２２上に落下する。コンベアケース２１の底面のうちコンベアベルト２２の搬送方向下流端付近には、下方に開口する開口部２１ｂが形成されている。廃棄物処理設備はこの開口部２１ｂと連通しており、コンベアベルト２２によって搬送された廃棄物は、この開口部２１ｂを通じて廃棄物処理設備側に排出される。
【００２４】
ホッパー１０は、ホッパー本体１１と、ホッパー本体１１の下方に位置する排出部１３と、複数の制限棒（制限部材）１６と、案内板（案内部材）１８とを備える。本実施形態では、ホッパー１０は、２本の制限棒１６ａ，１６ｂを有する。
【００２５】
ホッパー本体１１には、上方から廃棄物が投入される。ホッパー本体１１は、投入された廃棄物を内側に貯留する。ホッパー本体１１の上端には、投入口１１ａが開口している。廃棄物は、この投入口１１ａを通じて上方からホッパー本体１１内に投入される。ホッパー本体１１の底部には、排出口１１ｂが開口している。ホッパー本体１１に投入・貯留された廃棄物は、この排出口１１ｂを介してコンベアベルト２２側に落下する。
【００２６】
本実施形態では、図１および図２に示すように、ホッパー本体１１は、鉛直方向に延びる筒状であって内側の流路面積が下方に向かうほど縮小する略角錐台状を有する。具体的には、ホッパー本体１１は、互いに対向するとともに下方に向かうに従ってホッパー本体１１の内側に傾斜する下流壁１２ａおよび上流壁１２ｂと、これら下流壁１２ａと上流壁１２ｂとの間に延びるとともに下方に向かうに従ってホッパー本体１１の内側に傾斜する側壁１２ｃ，１２ｄとを有する。下流壁１２ａは、コンベアベルト２２の搬送方向（以下、単に搬送方向という場合がある）下流側に位置しており、上流壁１２ｂは、この搬送方向上流側に位置している。そして、各壁１２ａ，１２ｂ，１２ｃ，１２ｄの上端で囲まれた部分が投入口１１ａを構成し、各壁１２ａ，１２ｂ，１２ｃ，１２ｄの下端部がホッパー本体１１の底部を構成し、各壁１２ａ，１２ｂ，１２ｃ，１２ｄの下端で囲まれた部分が排出口１１ｂを構成する。
【００２７】
排出部１３は、ホッパー本体１１の排出口１１ｂと連通している。また、排出部１３は、コンベア２０の開口部２１ａと連通している。排出口１１ｂから落下したホッパー本体１１内の廃棄物は、この排出部１３の内側を通過して開口部２１ａからコンベアベルト２２上に落下する。
【００２８】
排出部１３は、図７に示すように、排出口１１ｂの搬送方向上流端の下方となる位置から、排出口１１ｂの搬送方向下流端の下方となる位置よりも搬送方向下流側の位置まで延びている。従って、排出部１３の内側には、排出口１１ｂの下方に位置する空間と、この空間から搬送方向下流側に延びる空間とが形成されている。
【００２９】
本実施形態では、排出部１３は、排出口１１ｂと一致する開口が上面に形成され、かつ、コンベア２０の開口部２１ａと一致する開口が底面に形成された箱状を有する。具体的には、排出部１３は、搬送方向上流端に位置して上下方向（垂直方向）に延びる上流壁１３ｂと、搬送方向下流端に位置して上下方向に延びる下流壁１３ａと、これら上流壁１３ｂと下流壁１３ａとの間に延びる側壁１３ｃ，１３ｄとを有する。排出部１３の下流壁１３ａは、排出口１１ｂの搬送方向下流端よりも搬送方向下流側に位置している。これに伴い、側壁１３ｃ、１３ｄは、排出口１１ｂの搬送方向上流端から、排出口１１ｂの搬送方向下流端よりも搬送方向下流の位置まで延びている。そして、排出部１３は、側壁１３ｃ、１３ｄのうち排出口１１ｂの搬送方向下流端よりも搬送方向下流側の部分の上端間に延びて、排出部１３の上面を構成する上壁１３ｅを有する。
【００３０】
排出部１３の上流壁１３ｂは、ホッパー本体１１の上流壁１２ｂと一体に形成されており、ホッパー本体１１の上流壁１２ｂの下端から下方に延びている。また、排出部１３の側壁１３ｃ，１３ｄのうち排出口１１ｂの搬送方向下流端よりも上流側の部分は、それぞれホッパー本体１１の側壁１２ｃ，１２ｄと連続して、これら側壁１２ｃ，１２ｄの下端から下方に延びている。
【００３１】
各制限棒１６ａ，１６ｂは、排出部１３内に配置されている。すなわち、これら制限棒１６ａ，１６ｂは、上下方向において、排出口１１ｂよりも下方に設けられている。また、これら制限棒１６ａ，１６ｂは、排出部１３のうち、排出口１１ｂの搬送方向下流端の下方に位置する部分付近に設けられている。
【００３２】
各制限棒１６ａ，１６ｂは、いずれも水平に、かつ、搬送方向と直交する方向に延びる中心軸ｘ１，ｘ２（図４参照）を有する円筒面を有する。本実施形態では、これら制限棒１６ａ，１６ｂは、円柱部材である。
【００３３】
これら制限棒１６ａ，１６ｂは、各中心軸ｘ１，ｘ２が下方に向かうに従って搬送方向下流側に傾斜する傾斜面に沿って並ぶように、配設されている。すなわち、一方の制限棒１６ｂが、他方の制限棒１６ａよりも下方、かつ、搬送方向下流側に位置している。本実施形態では、前記各中心軸ｘ１，ｘ２を通る傾斜面の水平面に対する角度α１であって制限棒１６ａ，１６ｂの並び方向の水平面に対する角度α１、ひいては、これら制限棒１６ａ，１６ｂの接面（図４の破線Ｌ１）と水平面との角度α１は４５度に設定されている。これら制限棒１６ａ，１６ｂは、互いに離間しており、これら制限棒１６ａ，１６ｂの間を廃棄物が通過可能なようになっている。
【００３４】
上側の制限棒１６ａは、上下方向において、その上端が前記排出部１３の上壁１３ｅとほぼ接する位置に設けられている。この上側の制限棒１６ａは、水平方向において、その搬送方向上流端が排出口１１ｂの搬送方向下流端とほぼ同じ位置となる位置に設けられている。そして、下側の制限棒１６ｂは、上下方向において、その下端が排出部１３の下端、詳細には、排出部１３の上流壁１３ｂの下端とほぼ同じ高さとなる位置に設けられている。これら制限棒１６ａ，１６ｂは、図２に示すように、水平かつ搬送方向と直交する方向において、それぞれ、前記排出部１３のほぼ全体にわたって延びている。
【００３５】
案内板１８は、板状部材であり、排出部１３の搬送方向上流端に設けられている。この案内板１８は、排出部１３とは別体で構成されており、排出部１３に取り付けられている。この案内板１８は、排出部１３の上流壁１３ｂに取り付けられている
。
【００３６】
この案内板１８は、搬送方向と直交する方向に延びるとともに排出部１３の上流壁１３ｂのうちその下端よりも上方の部分から搬送方向下流に向かうに従って下方に傾斜している。本実施形態では、この案内板１８は、上流壁１３ｂのうち上下方向（垂直方向）の中央部分よりも下側の部分から、前記下側の制限棒１６ｂの下端よりも下方まで延びている。すなわち、案内板１８の下端とコンベアベルト上面との距離ｈ１（図４参照）は、制限棒１６ｂの下端とコンベアベルト上面との距離ｈ２（図４参照）よりも小さくなっている。そして、案内板１８は、ホッパー本体１１の下端よりも下方であって前記コンベアケース２１の内側まで延びている。例えば、前記案内板１８の下端とコンベアベルト上面との距離ｈ１は、４２０ｍｍに設定されており、制限棒１６ｂの下端とコンベアベルト上面との距離ｈ２は、５００ｍｍに設定されている。
【００３７】
また、この案内板１８は、搬送方向において、排出部１３の上流壁１３ｂから、下流側に向かって、排出部１３の下流壁１３ａよりも上流側に離間した位置まで延びている。本実施形態では、排出口１１ｂの搬送方向中央付近まで延びている。
【００３８】
案内板１８の傾斜角度α２（図４参照）は、制限棒１６ａ，１６ｂの接面（図４の破線）Ｌ１と水平面との角度α１以下に設定されている。本実施形態では、この案内板１８の傾斜角度α２前記接面Ｌ１の傾斜角度α１の４５度よりも小さい３０度に設定されている。また、この案内板１８の傾斜角度α２は、ホッパー本体１１の上流壁１２ｂの傾斜角度α３（図１参照）よりも小さく設定されている。具体的には、この上流壁１２ｂの水平面に対する傾斜角度α３は４５度に設定されている。従って、案内板１８の傾斜角度α２＝３０度は、上流壁１２ｂの上側部分の傾斜角度α３＝４５度よりも小さい。
【００３９】
案内板１８は、図２に示すように、コンベアベルト２２の上方に配置されている。本実施形態では、水平かつ搬送方向と直交する方向において、その下方に位置するコンベアベルト２２の幅方向ほぼ全体にわたって延びている。
【００４０】
次に、以上のように構成された廃棄物供給装置１における廃棄物の流れについて説明する。
【００４１】
ホッパー本体１１の投入口１１ａから廃棄物が投入されると、図３に示すように、廃棄物は、ホッパー本体１１の下部に落下する。ホッパー本体１１の下部に位置する廃棄物は、排出口１１ｂを通って排出部１３内に進行する。さらに、この廃棄物は、排出部１３を通り、コンベアケース２１の開口部２１ａを通ってコンベアベルト２２上に落下する。
【００４２】
コンベアベルト２２が駆動されると、コンベアベルト２２上の廃棄物には、搬送方向下流側へ向かう力が作用する。このとき、排出口１１ｂの搬送方向下流端の下方付近では、廃棄物は、コンベアベルト２２の搬送力を受けて搬送方向下流側に向かって順次進行しようとするが、制限棒１６ａ，１６ｂと衝突することで、その進行は制限される。そして、この下流端の下方付近において、廃棄物は制限棒１６ａ，１６ｂに沿って移動する。すなわち、この下流端において、廃棄物は、図３の矢印Ｙ１に示すように、制限棒１６ａ，１６ｂの並び方向すなわちこれら制限棒１６ａ，１６ｂの接面Ｌ１に沿って、下方に向かうに従って搬送方向下流側に進む。
【００４３】
また、排出口１１ｂの搬送方向下流端の下方付近において、制限棒１６ａ，１６ｂと衝突した廃棄物の一部は、制限棒１６ａ，１６ｂの間を通って、排出部１３のうち制限棒１６ａ，１６ｂよりも搬送方向下流側の空間にリークする。具体的には、廃棄物は、その下流側の圧力が所定以上になると、これら制限棒１６ａ，１６ｂを通って前記空間にリークする。
【００４４】
このように、排出口１１ｂの搬送方向下流端の下方付近では搬送方向下流側へ移動する廃棄物の量が少なく抑えられる。そのため、この排出口１１ｂの下流端付近の圧力が過剰に上昇するのが抑制される、すなわち、廃棄物が圧密するのが抑制される。
【００４５】
また、排出部１３の搬送方向上流端では、廃棄物は、案内板１８に沿って移動する。すなわち、この上流端において、廃棄物は、鉛直方向に沿って進まず、下方に向かうに従って搬送方向下流側に進む。ここで、前述のように、案内板１８は、下側の制御棒１６ｂの下端よりも下方まで延びている。そのため、案内板１８に沿って移動した上流側の廃棄物は、図３の矢印Ｙ２に示すように、制御棒１６ｂ側すなわち下流側の廃棄物の下側にもぐりこむようにして搬送方向下流側に進む。特に、本実施形態では、案内板１８の傾斜角度が制限棒１６ａ，１６ｂの接面Ｌ１の傾斜角度よりも緩やかに設定されている。そのため、上流側の廃棄物の移動方向が下流側の廃棄物の移動方向に比べてよりコンベアベルト２２の搬送方向下流側に向かう方向となり、上流側の廃棄物はより容易に下流側の廃棄物の下側にもぐりこむことができる。ここで、制限棒１６ｂ付近の廃棄物および案内板１８付近の廃棄物の流れに引きずられて、排出部１３の搬送方向中央付近においても、廃棄物は、図３の矢印Ｙ３に示すように、下方に向かうに従って搬送方向下流側に進む。
【００４６】
このようにして、排出部１３において、上流側の廃棄物が下流側の廃棄物の下方にもぐりこむようにして移動して、廃棄物の流れはコンベアベルトの搬送方向下流側を向くように整流される。そのため、排出口１１ｂの搬送方向下流端の下方付近Ａ１（図３および図４参照）において、廃棄物が過剰に集中して圧密するのが抑制され、廃棄物の適正な搬送が実現される。また、コンベアベルト２２にかかる負荷が小さく抑えられる。
【００４７】
図５に本発明の参考例を示す。この図５に示す例では、ホッパー本体１１の上流壁１２ｂが制限棒１６ｂの下端よりも下方まで延びている。
【００４８】
また、前記制限棒１６ａの数は前記に限らない。例えば、図５に示すように、各中心軸ｘ１，ｘ２が下方に向かうに従って搬送方向下流側に傾斜する傾斜面に沿って並ぶよう配設された上側の制限棒１６ａと下側の制限棒１６ｂとに加えて、上側の制限棒１６ａの下方に下側の制限棒１６ｂと平行に、制限棒１６ｃを設けてもよい。
【００４９】
また、前記制限棒１６ａ，１６ｂは、円柱部材に限らず、三角柱や四角柱といった角柱部材であってもよい。また、制限棒１６ａ，１６ｂとして、Ｃ型鋼や、Ｈ型鋼や、Ｌ型鋼を用いてもよい。
【００５０】
また、前記制限棒１６ａ，１６ｂに代えて、板状部材を用いてもよい。この場合には、この板状部材を下方に向かうに従って搬送方向下流側に傾斜する姿勢で配置すれば、廃棄物の搬送方向下流側への移動を制限しつつ廃棄物をより搬送方向下流側に向かわせることができる。
【００５１】
また、前記案内板１８の傾斜角度は前記に限らない。ただし、実験により、この案内板１８の傾斜角度を３０度よりも小さくすると廃棄物の下方への移動が過剰に制限されて、廃棄物の搬送効率が悪化することが分かっている。また、この案内板１８の傾斜角度を４５度よりも大きくすると廃棄物を十分に搬送方向下流側に向けて移動させることが困難となり、排出口１１ｂの搬送方向下流端付近における圧密を十分に抑制できないことが分かっている。そのため、案内板１８の水平方向に対する傾斜角度は、３０度以上４５度未満とするのが好ましい。
【符号の説明】
【００５２】
１  廃棄物供給装置
１０  ホッパー
１１ｂ  排出口
１６  制限部材
１８  案内板（案内部材）
２０  コンベア
２２  コンベアベルト
【図１】
0005373879.tif 000002
【図２】
0005373879.tif 000003
【図３】
0005373879.tif 000004
【図４】
0005373879.tif 000005
【図５】
0005373879.tif 000006
【図６】
0005373879.tif 000007
【図７】
0005373879.tif 000008